【手続補正書】
【提出日】平成16年10月19日(2004.10.19)
【手続補正１】
【補正対象書類名】明細書
【補正対象項目名】発明の名称
【補正方法】変更
【補正の内容】
【発明の名称】デジタル複合機およびその制御方法
【手続補正２】
【補正対象書類名】明細書
【補正対象項目名】特許請求の範囲
【補正方法】変更
【補正の内容】
【特許請求の範囲】
【請求項１】
同一種類の複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別しその情報を蓄積するデバイス情報識別蓄積手段と、
受信文書がプリントされたシートを、前記デバイス情報識別蓄積手段によって得られたデバイス情報に対応する排紙トレー上に、排出させる制御手段と、
を備えたことを特徴とするデジタル複合機。
【請求項２】
請求項１記載のデジタル複合機において、
前記同一種類の複数のデバイスは、複数のＰＳＴＮ回線であることを特徴とするデジタル複合機。
【請求項３】
異なる種類の複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別しその情報を蓄積するデバイス情報識別蓄積手段と、
受信文書がプリントされたシートを、前記デバイス情報識別蓄積手段によって得られたデバイス情報に対応する排紙トレー上に、排出させる制御手段と、
を備えたことを特徴とするデジタル複合機。
【請求項４】
請求項３記載のデジタル複合機において、
前記異なる種類のデバイスは、ＰＳＴＮ回線，ＩＳＤＮ回線，ＬＡＮ等の異なるタイプの回線であることを特徴とするデジタル複合機。
【請求項５】
請求項３記載のデジタル複合機において、
前記異なる種類のデバイスは、コピー，プリンタ，ファクシミリ等の異なる機能のデバイスであることを特徴とするデジタル複合機。
【請求項６】
同一種類の複数のデバイスと、前記種類とは異なる種類のデバイスにより文書情報を受信可能なデジタル複合機であって、
受信文書をシートにプリントするプリント手段と、
受信文書がプリントされたシートを複数の排紙トレーの何れかに排出する排出手段と、
前記デバイスの内のどのデバイスにより受信した文書かを識別しその情報を蓄積するデバイス情報識別蓄積手段と、
受信文書がプリントされたシートを、前記デバイス情報識別蓄積手段によって得られたデバイス情報に対応する排紙トレー上に、排出させる制御手段と、
を備えたことを特徴とするデジタル複合機。
【請求項７】
請求項６記載のデジタル複合機において、
前記同一種類の複数のデバイスは、複数のＰＳＴＮ回線であり、
前記異なる種類のデバイスは、ＰＳＴＮ回線，ＩＳＤＮ回線，ＬＡＮ等の異なるタイプの回線、またはコピー，プリンタ，ファクシミリ等の異なる機能のデバイスであるであることを特徴とするデジタル複合機。
【請求項８】
複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別するデバイス情報識別手段と、
前記デバイス情報識別手段によって得られたデバイス情報を、受信した文書情報の一部として蓄積する文書情報蓄積手段と、
受信文書がプリントされたシートを、前記文書情報蓄積手段によって蓄積された文書情報内のデバイス情報に対応する排紙トレー上に、排出させる制御手段と、
を備えたことを特徴とするデジタル複合機。
【請求項９】
請求項８記載のデジタル複合機において、
前記文書情報内のデバイス情報は、コピー，プリンタ，ファクシミリといった機能情報と、ファクシミリ受信時のＩＦＡＸ，ＩＳＤＮ，ＰＳＴＮといった回線情報と、複数のＰＳＴＮ回線の場合、ＰＳＴＮ回線１、ＰＳＴＮ回線２といった回線番号とを有することを特徴とするデジタル複合機。
【請求項１０】
複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別するデバイス情報識別手段と、
前記デバイス情報識別手段によって得られたデバイス情報に対応する排紙トレー段の情報を、受信した文書情報の一部として蓄積する文書情報蓄積手段と、
受信文書がプリントされたシートを、前記文書情報蓄積手段によって蓄積された排紙トレー段の情報に対応した排紙トレー上に、排出させる制御手段と、
を備えたことを特徴とするデジタル複合機。
【請求項１１】
同一種類の複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別しその情報を蓄積するデバイス情報識別蓄積工程と、
受信文書がプリントされたシートを、前記デバイス情報識別蓄積工程にて得られたデバイス情報に対応する排紙トレー上に、排出させる制御工程と、
を備えたことを特徴とするデジタル複合機の制御方法。
【請求項１２】
異なる種類の複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別しその情報を蓄積するデバイス情報識別蓄積工程と、
受信文書がプリントされたシートを、前記デバイス情報識別蓄積工程にて得られたデバイス情報に対応する排紙トレー上に、排出させる制御工程と、
を備えたことを特徴とするデジタル複合機の制御方法。
【請求項１３】
同一種類の複数のデバイスと、前記種類とは異なる種類のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記デバイスの内のどのデバイスにより受信した文書かを識別しその情報を蓄積するデバイス情報識別蓄積工程と、
受信文書がプリントされたシートを、前記デバイス情報識別蓄積工程によって得られたデバイス情報に対応する排紙トレー上に、排出させる制御工程と、
を備えたことを特徴とするデジタル複合機の制御方法。
【請求項１４】
複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別するデバイス情報識別工程と、
前記デバイス情報識別工程にて得られたデバイス情報を、受信した文書情報の一部として蓄積する文書情報蓄積工程と、
受信文書がプリントされたシートを、前記文書情報蓄積工程にて蓄積された文書情報内のデバイス情報に対応する排紙トレー上に、排出させる制御工程と、
を備えたことを特徴とするデジタル複合機の制御方法。
【請求項１５】
複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別するデバイス情報識別工程と、
前記デバイス情報識別工程によって得られたデバイス情報に対応する排紙トレー段の情報を、受信した文書情報の一部として蓄積する文書情報蓄積工程と、
受信文書がプリントされたシートを、前記文書情報蓄積工程にて蓄積された排紙トレー段の情報に対応した排紙トレー上に、排出させる制御工程と、
を備えたことを特徴とするデジタル複合機の制御方法。
【手続補正３】
【補正対象書類名】明細書
【補正対象項目名】０００５
【補正方法】変更
【補正の内容】
【０００５】
【課題を解決するための手段】
前記目的を達成するため、本発明では，デジタル複合機を次の（１）〜（１０）のとおりに、デジタル複合機の制御方法を次の（１１）〜（１５）のとおりに構成する。
（１）同一種類の複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別しその情報を蓄積するデバイス情報識別蓄積手段と、
受信文書がプリントされたシートを、前記デバイス情報識別蓄積手段によって得られたデバイス情報に対応する排紙トレー上に、排出させる制御手段と、
を備えたデジタル複合機。
（２）前記（１）記載のデジタル複合機において、
前記同一種類の複数のデバイスは、複数のＰＳＴＮ回線であるデジタル複合機。
（３）異なる種類の複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別しその情報を蓄積するデバイス情報識別蓄積手段と、
受信文書がプリントされたシートを、前記デバイス情報識別蓄積手段によって得られたデバイス情報に対応する排紙トレー上に、排出させる制御手段と、
を備えたデジタル複合機。
（４）前記（３）記載のデジタル複合機において、
前記異なる種類のデバイスは、ＰＳＴＮ回線，ＩＳＤＮ回線，ＬＡＮ等の異なるタイプの回線であるデジタル複合機。
（５）前記（３）記載のデジタル複合機において、
前記異なる種類のデバイスは、コピー，プリンタ，ファクシミリ等の異なる機能のデバイスであるデジタル複合機。
（６）同一種類の複数のデバイスと、前記種類とは異なる種類のデバイスにより文書情報を受信可能なデジタル複合機であって、
受信文書をシートにプリントするプリント手段と、
受信文書がプリントされたシートを複数の排紙トレーの何れかに排出する排出手段と、
前記デバイスの内のどのデバイスにより受信した文書かを識別しその情報を蓄積するデバイス情報識別蓄積手段と、
受信文書がプリントされたシートを、前記デバイス情報識別蓄積手段によって得られたデバイス情報に対応する排紙トレー上に、排出させる制御手段と、
を備えたデジタル複合機。
（７）前記（６）記載のデジタル複合機において、
前記同一種類の複数のデバイスは、複数のＰＳＴＮ回線であり、
前記異なる種類のデバイスは、ＰＳＴＮ回線，ＩＳＤＮ回線，ＬＡＮ等の異なるタイプの回線、またはコピー，プリンタ，ファクシミリ等の異なる機能のデバイスであるであるデジタル複合機。
（８）複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別するデバイス情報識別手段と、
前記デバイス情報識別手段によって得られたデバイス情報を、受信した文書情報の一部として蓄積する文書情報蓄積手段と、
受信文書がプリントされたシートを、前記文書情報蓄積手段によって蓄積された文書情報内のデバイス情報に対応する排紙トレー上に、排出させる制御手段と、
を備えたデジタル複合機。
（９）前記（８）記載のデジタル複合機において、
前記文書情報内のデバイス情報は、コピー，プリンタ，ファクシミリといった機能情報と、ファクシミリ受信時のＩＦＡＸ，ＩＳＤＮ，ＰＳＴＮといった回線情報と、複数のＰＳＴＮ回線の場合、ＰＳＴＮ回線１、ＰＳＴＮ回線２といった回線番号とを有するデジタル複合機。
（１０）複数のデバイスにより文書情報を受信可能なデジタル複合機であって、
受信文書をシートにプリントするプリント手段と、
受信文書がプリントされたシートを複数の排紙トレーの何れかに排出する排出手段と、
前記複数のデバイスの内のどのデバイスにより受信した文書かを識別するデバイス情報識別手段と、
前記デバイス情報識別手段によって得られたデバイス情報に対応する排紙トレー段の情報を、受信した文書情報の一部として蓄積する文書情報蓄積手段と、
受信文書がプリントされたシートを、前記文書情報蓄積手段によって蓄積された排紙トレー段の情報に対応した排紙トレー上に、排出させる制御手段と、
を備えたデジタル複合機。
（１１）同一種類の複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別しその情報を蓄積するデバイス情報識別蓄積工程と、
受信文書がプリントされたシートを、前記デバイス情報識別蓄積工程にて得られたデバイス情報に対応する排紙トレー上に、排出させる制御工程と、
を備えたデジタル複合機の制御方法。
（１２）異なる種類の複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別しその情報を蓄積するデバイス情報識別蓄積工程と、
受信文書がプリントされたシートを、前記デバイス情報識別蓄積工程にて得られたデバイス情報に対応する排紙トレー上に、排出させる制御工程と、
を備えたデジタル複合機の制御方法。
（１３）同一種類の複数のデバイスと、前記種類とは異なる種類のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記デバイスの内のどのデバイスにより受信した文書かを識別しその情報を蓄積するデバイス情報識別蓄積工程と、
受信文書がプリントされたシートを、前記デバイス情報識別蓄積工程によって得られたデバイス情報に対応する排紙トレー上に、排出させる制御工程と、
を備えたデジタル複合機の制御方法。
（１４）複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別するデバイス情報識別工程と、
前記デバイス情報識別工程にて得られたデバイス情報を、受信した文書情報の一部として蓄積する文書情報蓄積工程と、
受信文書がプリントされたシートを、前記文書情報蓄積工程にて蓄積された文書情報内のデバイス情報に対応する排紙トレー上に、排出させる制御工程と、
を備えたデジタル複合機の制御方法。
（１５）複数のデバイスにより文書情報を受信可能なデジタル複合機の制御方法であって、
受信文書をシートにプリントするプリント工程と、
受信文書がプリントされたシートを複数の排紙トレーの何れかに排出する排出工程と、
前記複数のデバイスの内のどのデバイスにより受信した文書かを識別するデバイス情報識別工程と、
前記デバイス情報識別工程によって得られたデバイス情報に対応する排紙トレー段の情報を、受信した文書情報の一部として蓄積する文書情報蓄積工程と、
受信文書がプリントされたシートを、前記文書情報蓄積工程にて蓄積された排紙トレー段の情報に対応した排紙トレー上に、排出させる制御工程と、
を備えたデジタル複合機の制御方法。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】